(57)【要約】【課題】レンズ周壁部における流水抵抗を小さくすることが可能なスイミングゴーグルを提供すること。【解決手段】スイミングゴーグル１は、一対のレンズ部２と、各レンズ部２の周囲から後方へ延びる周壁部３と、鼻ベルト部５と、ヘッドバンド部６とを備える。周壁部３は、ゴーグル着用者の眼の周囲に当接させる内側周壁部７とこの内側周壁部の少なくとも一部分を囲むように形成された外側周壁部８とからなる。外側周壁部８は、内側周壁部７の周囲のうちで少なくともレンズ部２の上方部分と下方部分とに位置する部位から後方へ向かって内側周壁部７の外面から次第に離間するように延びる。【選択図】　　　図１
2004016319.tif 000002
【特許請求の範囲】
【請求項１】
水平方向に並ぶ一対のレンズ部と、前記レンズ部それぞれの周囲から後方へ延びる周壁部と、前記一対のレンズ部の内端部どうしをつなぐ鼻ベルト部と、前記一対のレンズ部の外端部どうしをつなぐヘッドバンド部とを備えたスイミングゴーグルにおいて、
前記周壁部は、スイミングゴーグル着用者の眼の周囲に後端部分を当接させる内側周壁部と、前記内側周壁部の外側にあって前記内側周壁部の少なくとも一部分を囲むように形成された外側周壁部とからなり、前記外側周壁部は、前記内側周壁部の周囲のうちで前記レンズ部の上方および下方の少なくとも一方に位置する部位から前記レンズ部の後方へ向かって前記内側周壁部の周囲外面から次第に離間するように延びていることを特徴とするスイミングゴーグル。
【請求項２】
前記外側周壁部は、前記後方へ向かって次第に薄肉になる請求項１に記載のスイミングゴーグル。
【請求項３】
前記外側周壁部は、その後端部分の少なくとも一部が前記内側周壁部の後端部分よりも後方に位置している請求項１又は２に記載のスイミングゴーグル。
【請求項４】
前記外側周壁部の後端部分は、前記内側周壁部の後端部分よりも前方に位置している請求項１又は２に記載のスイミングゴーグル。
【発明の詳細な説明】
【０００１】
【発明の属する技術分野】
この発明は、スイミングゴーグルに関する。
【０００２】
【従来の技術】
従来、流水抵抗を小さくする工夫がなされた競技用のスイミングゴーグルが種々提案されており、例えば特開平１１−３３１３９号公報には、その一例が開示されている。この公報に開示のスイミングゴーグルでは、レンズ周壁部を構成している前方周壁部と後方周壁部との外表面を滑らかにつなげることでその抵抗を小さくしている。
【０００３】
【発明が解決しようとする課題】
しかしながら、前記公知のスイミングゴーグルでは、着用者の顔面に当接するクッション部と、そのクッション部を取り付けた後方周壁部の後端面との間に環状の段差が形成される。この段差では、流水が乱流になり易いので、流水抵抗が必ずしも小さくならないという問題があった。
【０００４】
この発明は、上記従来の問題を解決するためになされたもので、レンズ周壁部における流水抵抗を小さくすることが可能なスイミングゴーグルの提供を目的にしている。
【０００５】
【課題を解決するための手段】
上記した課題解決のために、この発明が対象とするのは、水平方向に並ぶ一対のレンズ部と、前記レンズ部それぞれの周囲から後方へ延びる周壁部と、前記一対のレンズ部の内端部どうしをつなぐ鼻ベルト部と、前記一対のレンズ部の外端部どうしをつなぐヘッドバンド部とを備えたスイミングゴーグルである。
【０００６】
かかるスイミングゴーグルにおいて、この発明が特徴とするところは、次のとおりである。前記周壁部は、スイミングゴーグル着用者の眼の周囲に後端部分を当接させる内側周壁部と、前記内側周壁部の外側にあって前記内側周壁部の少なくとも一部分を囲むように形成された外側周壁部とからなる。前記外側周壁部は、前記内側周壁部の周囲のうちで前記レンズ部の上方および下方の少なくとも一方に位置する部位から前記レンズ部の後方へ向かって前記内側周壁部の周囲外面から次第に離間するように延びている。
【０００７】
この発明のスイミングゴーグルは、前述した特徴を備えるが、更に以下のような特徴を備えるものに形成することができる。すなわち、外側周壁部を後方へ向かって次第に薄肉にすることができる。外側周壁部における後端部分は、少なくとも一部を内側周壁部の後端部分よりも後方に位置させるようにしてもよく、或いは内側周壁部の後端部分よりも前方に位置させるようにしてもよい。
【０００８】
【発明の実施の形態】
添付の図面を参照し、この発明に係るスイミングゴーグルの詳細を説明すると以下のとおりである。
【０００９】
図１に斜視図で示されたスイミングゴーグル１は、前方で水平方向に並ぶ硬質材料製の一対のレンズ部２と、このレンズ部２の周囲から後方へ延びる周壁部３とを有する。レンズ部２の内端部４ａどうしは、周壁部３と一体を成す鼻ベルト部５でつながれている。ただし、鼻ベルト部５は、両端部がレンズ部２の内端部４ａに着脱自在に形成されていてもよいものである。レンズ部２の外端部は後方へ向かって延びるバックル部４ｂを形成し、バックル部４ｂにはヘッドバンド部６が長さ調整可能に取り付けられている。かようなスイミングゴーグル１は、鼻ベルト部５の長さを二等分する中心線Ｃ−Ｃに関して対称に作られている。
【００１０】
図２は、図１のＩＩ−ＩＩ線切断面を示す図である。このＩＩ−ＩＩ線は、中心線Ｃ−Ｃに平行であって、レンズ部２をその上下方向の寸法が最も大きくなる位置で縦断している。周壁部３は、レンズ部２の周縁２ａの全体から後方へ延びて後端部分７ｂがゴーグル着用者の眼の周囲に当接する環状の内側周壁部７と、内側周壁部７を囲むように内側周壁部７の前端部分７ａから後方へ向かって延びる外側周壁部８とを有する。
【００１１】
図示例の内側周壁部７は、前端部分７ａがレンズ部２と一体に硬質プラスチック材料で形成される一方、後端部分７ｂが柔軟弾性材料で形成されてクッションパッドを成している。内側周壁部７では、前端部分７ａの外周面に嵌合用の溝７ｃが形成されており、外側周壁部８の内周面に形成された突起部７ｄがその溝７ｃに取り外し可能または取り外し不能に嵌合している。内側周壁部７の後端部分７ｂは、ゴーグル着用者に当接する部位が外側へ向かって緩やかに曲がっている。
【００１２】
図２で明らかなように、外側周壁部８は、内側周壁部７の後端部分７ｂと一体的に形成されている。外側周壁部８の前端部分８ａは内側周壁部７の前端部分７ａに外側から密着している。外側周壁部８は、後端部分８ｂが後方ヘ向かうにつれて内側周壁部７から遠く離間するように外側へ向かって広がっている。また、その後端部分８ｂは、後方へ向かうほど肉厚が次第に薄くなっている。ＩＩ−ＩＩ線切断面上において、レンズ部２の前面から内側周壁部７の後端７ｅまでの寸法はＡであり、外側周壁部８の後端８ｃまでの寸法はＢであって、寸法Ｂは寸法Ａよりも大きく、外側周壁部８の後端８ｃは内側周壁部７の後端７ｅよりもさらに後方に位置している。
【００１３】
かような外側周壁部８は、レンズ部２の周縁２ａの全体にわたって延びる内側周壁部７の周囲のうちで、少なくともレンズ部２の上方部分と下方部分とに位置する周囲の部分に形成されるものであるが、図示例では、外側周壁部８がレンズ部２の内端部４ａ寄りの部分とバックル４ｂ寄りの部分にも形成されている。このような外側周壁部８を有するスイミングゴーグル１では、ＩＩ−ＩＩ線とその近傍において、内側周壁部７の外側にレンズ部２の周縁２ａからゴーグル着用者の顔面に向かって緩やかでかつ滑らかな斜面が形成される。
【００１４】
図３は、このように形成されたスイミングゴーグル１を着用したときの状態を示す図２と同様な図である。スイミングゴーグル１を着用すると、内側周壁部７の後端部分７ｂが、着用者の眼の周囲に密着する。このときに、外側周壁部８の後端部分８ｂは着用者の顔面１０に接近するかまたはゆるく当接する。外側周壁部８は、内側周壁部７の外側でレンズ部２から顔面１０までの間を緩やかでかつ滑らかな斜面でつなぐから、スイミング中に、水が例えば矢印１７方向へスムーズに流れる。外側周壁部８を持たないスイミングゴーグルでは、レンズ周壁部が、顔面との間に滑らかな斜面を作らないので、その周壁部に当たる水の流れは乱流になりやすく、それによって水の抵抗が増す。
【００１５】
図４もまたこの発明の実施態様の一例を示す図２と同様な図面である。このスイミングゴーグル１における外側周壁部８では、後端部分８ｂの厚さが後方へ向かって次第に薄くなった後に後端８ｃ近傍で再び厚くなるように形成されている。外側周壁部８は、このようにすることによって、後端部分８ｂが図２の例に比べて剛性が高まり、顔面から離れる方向へめくれることを防止できる場合がある。
【００１６】
この発明において、図示例のほぼ環状を成すように形成された外側周壁部８は、レンズ部２の上方部分と下方部分とに二分して形成されていてもよい。外側周壁部８は、内側周壁部７の後端部分７ｂと同じ柔軟弾性材料で一体に形成する他に、レンズ部２と同じ硬質材料で一体に形成してもよい。この場合の外側周壁部８は、後端８ｃが内側周壁部７の後端７ｅよりも前方に位置するようにすることが好ましい。また、外側周壁部８は、後端部８ｂのみを柔軟弾性材料で形成したり、内側周壁部７とは別体に形成して周知慣用の接合手段で内側周壁部７の外面に取り付けるようにしてもよい。外側周壁部８の外面は、平滑に形成する他にディンプル状の凹部を多数形成して、その外面における水の流れをスムーズにすることもできる。内側周壁部７は、柔軟弾性材料からなる後端部分７ｂを前端部分７ａとともに硬質材料で一体的に形成することもできる。
【００１７】
【発明の効果】
この発明に係るスイミングゴーグルによれば、レンズ部からゴーグル着用者の顔面近傍までの間が緩やかな斜面でつながるから、スイミング中にゴーグルの近傍で生じ易い水流の乱れを防ぎ、水の抵抗を小さくすることができる。
【図面の簡単な説明】
【図１】スイミングゴーグルの斜視図。
【図２】図１のＩＩ−ＩＩ線に沿った切断面を示す図。
【図３】水の流れを示す図２と同様な図。
【図４】実施態様の一例を示す図２と同様な図。
【符号の説明】
１　スイミングゴーグル
２　レンズ部
２ａ　レンズ部の周縁
３　周壁部
４ａ　内端部
４ｂ　バックル部（外端部）
５　鼻ベルト部
６　ヘッドバンド部
７　内側周壁部
７ａ　前端部分
７ｂ　後端部分
７ｅ　後端
８　外側周壁部
８ａ　前端部分
８ｂ　後端部分
８ｃ　後端
【図１】
2004016319.tif 000003
【図２】
2004016319.tif 000004
【図３】
2004016319.tif 000005
【図４】
2004016319.tif 000006
【手続補正書】
【提出日】平成14年6月26日(2002.6.26)
【手続補正１】
【補正対象書類名】図面
【補正対象項目名】図１
【補正方法】変更
【補正の内容】
【図１】
2004016319.tif 000007